(57)【特許請求の範囲】
【請求項１】
検査位置に配置した試験紙に沿って光学装置を相対移動させ、光学装置の発光部から試験紙に設けた各試験片に順次照射し、光学装置の受光部で反射光を受光し、その反射光量を測定することにより、前記各試験片に含浸させた検体を分析処理するようにした検体分析装置において、
前記検査位置のうち試験紙を配置しない位置に形成した第１基準反射部と、
前記試験紙に形成した第２基準反射部と、
前記各試験片での検体分析の前に、前記試験紙に沿って光学装置を相対移動させ、検査位置の第１基準反射部を検出した後、試験紙の第２基準反射部を検出することにより、試験紙の配置位置を特定すると共に、前記第２基準反射部での基準反射光量に基づいて前記試験紙の検査項目の違いを判別する制御手段とを備えたことを特徴とする検体分析装置。
【請求項２】
前記制御手段は、前記各試験片での検体分析の前に、前記試験紙以外の基準反射部での反射光量に基づいて、受光部でのゲイン調整及びオフセット調整を行い、予め設定したゲイン幅及びオフセット幅から外れる場合、エラーを報知させることを特徴とする請求項１に記載の検体分析装置。
【請求項３】
前記制御手段は、前記各試験片での検体分析の前に、前記試験紙に沿って光学装置を相対移動させ、試験紙以外の基準反射部、各試験片、次いで試験紙の基準反射部の反射光量をそれぞれ検出させることにより、各試験片の配置位置を特定することを特徴とする請求項１又は２に記載の検体分析装置。
【請求項４】
前記制御手段は、前記各試験片での検体分析で、前記各基準反射部及び各試験片での反射光量の検出結果に基づいて、光学装置を順次各試験片に対向する位置で停止させるものであることを特徴とする請求項３に記載の検体分析装置。
【請求項５】
前記試験紙は、試薬を含有していない基準となる試験片を備え、
前記制御手段は、検査位置に配置した試験紙に沿って光学装置を相対移動させる際、前記試薬を含有していない試験片を、試薬を含有する、他の試験片に於ける反射光量の基準として反射光量を補正することを特徴とする請求項１乃至４のいずれか１項に記載の検体分析装置。
【請求項６】
検査位置に配置した試験紙の各試験片に順次照射し、その反射光を受光することにより、各試験片に含浸させた検体を分析処理する検体分析方法において、
前記検査位置のうち試験紙を配置しない位置に第１基準反射部を形成し、
前記試験紙に第２基準反射部を形成し、
前記各試験片での検体分析の前に、前記試験紙に沿って光学装置を相対移動させ、検査位置の第１基準反射部を検出した後、試験紙の第２基準反射部での基準反射光量を検出することにより、試験紙の配置位置を特定すると共に、前記第２基準反射部での基準反射光量に基づいて前記試験紙の検査項目の違いを判別することを特徴とする検体分析方法。
【請求項７】
前記各試験片での検体分析の前に、前記試験紙以外の基準反射部での反射光量に基づいて、受光部でのゲイン調整及びオフセット調整を行い、予め設定したゲイン幅及びオフセット幅から外れる場合、エラーを報知させることを特徴とする請求項６に記載の検体分析方法。
【請求項８】
前記各試験片での検体分析の前に、前記試験紙に沿って光学装置を相対移動させ、試験紙以外の基準反射部、各試験片、次いで試験紙の基準反射部の反射光量をそれぞれ検出させることにより、各試験片の配置位置を特定することを特定する請求項６又は７に記載の検体分析方法。
【請求項９】
前記各試験片での検体分析で、前記各基準反射部及び各試験片での反射光量の検出結果に基づいて、光学装置を順次各試験片に対向する位置で停止させることを特徴とする請求項６乃至８のいずれか１項に記載の検体分析方法。
【請求項１０】
前記試験紙は、試薬を含有していない基準となる試験片を備え、
検査位置に配置した試験紙に沿って光学装置を相対移動させる際、前記試薬を含有していない試験片を、試薬を含有する、他の試験片に於ける反射光量の基準として反射光量を補正することを特徴とする請求項６乃至９のいずれか１項に記載の検体分析方法。
【発明の詳細な説明】
【０００１】
【発明の属する技術分野】
本発明は検体分析装置及び検体分析方法、特に、高精度の検体分析を可能とするため、試験紙に対して光学装置を正確に相対移動させることのできる検体分析装置及び検体分析方法に関するものである。
【０００２】
【従来の技術】
従来から検体、例えば尿の検査には試験紙が使用されている。この試験紙は、短冊状の支持体に、異なる試薬をそれぞれ含有する複数の試験片を、長手方向に沿って所定間隔で貼着したものである。
【０００３】
このような試験紙を使用した検体分析では、反射光度法により自動で各試験片の呈色反応を測定するようにしている。すなわち、光学装置の発光部から各試験片に向かって照射し、その反射光を受光部にて受光するようにしている。
【０００４】
【発明が解決しようとする課題】
しかしながら、従来の検体分析では、試験紙が手でセットされていたため、その配置位置が正確でなく、各試験片の位置を正確に検出することができない結果、所望の検出精度が得られないという問題がある。
【０００５】
また、前記各試験片の位置は製造誤差によりずれている。このため、呈色反応の測定前に、予め各試験片の位置を正確に検出しておく必要がある。
【０００６】
このような各試験片の位置検出を可能とした尿分析装置として、例えば、次のようなものが提案されている（例えば、特公平６ー４３９９６号公報参照）。すなわち、この尿分析装置では、各試験片に於ける呈色反応の検出前に、光学装置を試験紙の一端から他端に移動させることにより、検出される鋸歯状の反射光量のピーク値に基づいて各試験片の位置を特定し、所定位置でマイクロスイッチをオンすることにより、マイクロスイッチからの距離を算出している。また、呈色反応の検出前に、ホームポジションにて得られる反射光量を予め設定した基準値と比較することにより、発光素子の発光量を補正するようにしている。
【０００７】
しかしながら、前記尿分析装置では、発光素子の発光量を補正するためのホームポジションのほかに、光学装置の移動を停止するためのマイクロスイッチが必要でありコストがかかる。また、各試験片とマイクロスイッチとの間の距離を、光学装置がそれぞれの位置を検出した時点からの時間経過に基づいて算出しているため、光学装置の移動速度を一定に維持する必要がある。したがって、検査項目が少ない場合であっても、検査に要する時間は同じである。
【０００８】
そこで、本発明は、高精度な検体分析を行うため、試験紙に対して光学装置を正確に相対移動させることのできる簡単な構成の検体分析装置及び検体分析方法を提供することを課題とする。
【０００９】
【課題を解決するための手段】
前記課題を達成するため、本発明では、検査位置に配置した試験紙に沿って光学装置を相対移動させ、光学装置の発光部から試験紙に設けた各試験片に順次照射し、光学装置の受光部で反射光を受光し、その反射光量を測定することにより、前記各試験片に含浸させた検体を分析処理するようにした検体分析装置において、前記検査位置のうち試験紙を配置しない位置に形成した第１基準反射部と、前記試験紙に形成した第２基準反射部と、前記各試験片での検体分析の前に、前記試験紙に沿って光学装置を相対移動させ、検査位置の第１基準反射部を検出した後、試験紙の第２基準反射部を検出することにより、試験紙の配置位置を特定すると共に、前記第２基準反射部での基準反射光量に基づいて前記試験紙の検査項目の違いを判別する制御手段とを備えた構成としたものである。なお、前記試験紙と光学装置の相対移動では、試験紙のみを移動させる、光学装置のみを移動させる、あるいは、両者を移動させるのいずれの手段を採用しても構わない。
前記制御手段は、前記各試験片での検体分析の前に、前記試験紙以外の基準反射部での反射光量に基づいて、受光部でのゲイン調整及びオフセット調整を行い、予め設定したゲイン幅及びオフセット幅から外れる場合、エラーを報知させるのが好ましい。
前記制御手段は、前記各試験片での検体分析の前に、前記試験紙に沿って光学装置を相対移動させ、試験紙以外の基準反射部、各試験片、次いで試験紙の基準反射部の反射光量をそれぞれ検出させることにより、各試験片の配置位置を特定するようにするのが好ましい。
前記制御手段は、前記各試験片での検体分析で、前記各基準反射部及び各試験片での反射光量の検出結果に基づいて、光学装置を順次各試験片に対向する位置で停止させるのが好ましい。
前記試験紙は、試薬を含有していない基準となる試験片を備え、前記制御手段は、検査位置に配置した試験紙に沿って光学装置を相対移動させる際、前記試薬を含有していない試験片を、試薬を含有する、他の試験片に於ける反射光量の基準として反射光量を補正するのが好ましい。
【００１２】
【発明の実施の形態】
以下、本発明の実施の形態を添付図面に従って説明する。
【００１３】
図１は本発明に係る検体分析装置の一例である尿分析装置の平面図、図２（ａ）はその側面図を示す。この尿分析装置は、装置本体１に、大略、試験管保持部２、尿量検出部３、試験紙収容部４（図２参照）、ハンドリング部５（図２参照）、呈色反応部６及びこれらの動作を制御する制御装置７（図５参照）を設けたものである。
【００１４】
試験管保持部２は、モータ８により回転するターンテーブル９に試験管１０を保持するための切欠き１１を内外周２列に形成したものである。前記モータ８にはサーボモータ等が使用でき、順次、所定位置に各試験管１０を移動させることができるように所定ピッチずつ回転可能である。
【００１５】
尿量検出部３は、上下及び水平方向に平行移動するアーム１２の先端に、電極保持部１３を介して２本の電極１４ａ,１４ｂを所定間隔で並設した従来周知のものである（例えば、特開昭６１ー９１５７１号公報参照）。この尿量検出部３は、両電極１４ａ,１４ｂを試験管１０内に挿入した際、その導通の有無によって液量を検出する。
【００１６】
試験紙収容部４は、複数の試験紙１５を収容したカセット１６と、その底面に設けたベース板１７とから構成されるものである。ベース板１７は、カセット１６の底面を幅方向に往復移動可能である。また、ベース板１７には、試験紙１５を１枚だけ収容可能な溝部２０が形成されている。そして、スライド移動することにより、前記溝部２０にカセット１６内に収容した試験紙１５を１枚だけ保持して外部に排出できるようになっている。試験紙収容部４は、装置本体１に傾斜して取り付けられている。これにより、ベース板１７によって外部に取り出される試験紙１５は、傾斜面を滑って後端がそろえられることにより、先端が常に同じ位置となる。したがって、下記するハンドリング部５によって確実に保持することが可能である。
【００１７】
カセット１６内に収容される試験紙１５は、ＰＥＴ（ポリエチレンテレフタレート）フィルム等の支持体１５ａに、一端側から試験片１８を所定間隔で貼着し、他端を把持部１９としたものである。各試験片１８には、種々の試薬がそれぞれ含有され、尿中成分のグルコースやタンパク質等を検出できるようになっている。但し、一端側の試験片１８ａは何も含有しておらず、他の試験片１８に於ける反射光量の基準となる試験片である。また、把持部１９には黒マーカ１９ａ（本発明の第２基準反射部に相当する。）が塗装されている。この黒マーカ１９ａは、前記試験片１８の貼着と同工程で簡単に形成でき、各試験片１８までの距離を測定するための基準位置となる。
【００１８】
ハンドリング部５は、図２（ａ）に示すように、垂直板２１、スライド板２２、昇降板２３及び挟持部２４からなる。垂直板２１は、装置本体１に固定され、その一方の面には上下２列で水平方向にレール２５を有している。スライド板２２は、垂直板２１のレール２５に沿って水平方向に往復移動可能であり、垂直方向に延びるレール２６を有している。昇降板２３は、スライド板２２のレール２６に沿って上下方向に往復移動可能である。挟持部２４は、昇降板２３の先端に支軸２４ａを中心として旋回自在に設けられ、昇降板２３の後端に設けたモータ２７の駆動により垂直面内で旋回するようになっている。挟持部２４は、上下一対の挟持片２８を有し、試験紙１５を挟持できるようになっている。
【００１９】
呈色反応部６は、試験紙セット部２９、搬送テーブル３０、搬送部３１及び光学装置３２からなる。
【００２０】
前記試験紙セット部２９は、図２（ｂ）に示すように、ガイド溝３４を形成してなる余剰尿吸引台３３を、ガイドレール３９に沿って装置本体１上で前後方向にスライド移動するようにしたものである。前記余剰尿吸引台３３のガイド溝３４は段状に形成され、その上段側に試験紙１５が載置され、余剰尿は下段側に流下するようになっている。ガイド溝３４の底面２箇所には吸引孔３５が穿設され、排出路３６を介してドレインボトル３７に連通している。そして、エアポンプ３８の駆動により、前記吸引孔３５を介して試験紙１５に付着した余分な尿をドレインボトル３７内に吸引できるようになっている。前記余剰尿吸引台３３は、下記するマニュアル操作により、試験紙のセット容易な位置まで前進するようになっている。
【００２１】
前記搬送テーブル３０は、試験紙セット部２９の側方に配設され、その上面には搬送方向に沿って所定間隔で複数の突条４０が形成されている。これらの突条４０は、試験紙１５が載置された際、搬送テーブル３０の表面への接触面積を少なくし、尿の付着を最小限に抑えると共に、試験紙１５の乾燥を促進する役割を果たしている。また、突条４０には所定間隔で凹部４１が形成され、搬送部３１によって搬送される試験紙１５を安定して載置するための３箇所の中継位置Ａを構成している。また、搬送テーブル３０の縁部（下記する光学装置３２が往復移動する位置）には、装置本体１の後端側に白板３０ａが設けられている。この白板３０ａ（本発明の第１基準反射部に相当する。）は、下記するゲイン調整、オフセット調整に利用されるほか、光学装置３２と試験紙１５の各試験片１８の位置関係を算出する際にも利用される。
【００２２】
前記搬送部３１は、前記ハンドリング部５と同様な上下一対の挟持片４２を有しており、搬送テーブル３０の側縁をガイドレール４３に沿って往復移動自在である。挟持片４２は、下方側が回動することにより、試験紙セット部２９あるいは搬送テーブル３０に載置された試験紙１５を持ち上げて保持できるようになっている。
【００２３】
前記光学装置３２は、発光部４４及び受光部４５を備えている。発光部４４には複数のＬＥＤが使用され、制御装置７からＤ／Ａ変換器４７、駆動回路４６を介して入力される信号に基づいて所定間隔で所定波長の光を順次照射する。受光部４５には複数のフォトダイオードが使用され、前記発光部４４から発せられて搬送テーブル３０あるいは試験紙１５で反射する光を受け、アンプ４８、Ａ／Ｄ変換器４９を介してデジタル信号として制御装置７に出力する（図５参照）。受光部４５に複数のフォトダイオードを使用するようにしたのは、各フォトダイオードでの検出光量の平均値からより適切な検出を可能とするためである。また、前記光学装置３２は、搬送されてきた試験紙１５の長手方向に沿って往復移動する。この移動には、パルスモータ５０が使用されている。すなわち、パルスモータ５０の回転軸に設けたピニオン（図示せず）と、搬送テーブル３０の前後方向に沿って設けたラック（図示せず）とを噛合することにより、入力パルス数に応じて所定ピッチずつ移動させることが可能となっている。
【００２４】
制御装置７は、図５に示すように、マニュアルスイッチ５１、尿量検出部３、光学装置３２からの信号を受け、試験管保持部２のモータ８、尿量検出部３、試験紙収容部４、ハンドリング部５、呈色反応部６、表示部５２に制御信号を発する。
【００２５】
前記尿分析装置の制御装置７に於ける尿分析処理について、図６ないし図８のフローチャートに従って説明する。
【００２６】
まず、試験紙収容部４のベース板１７をスライドさせることにより、試験紙１５を１枚取り出し、ハンドリング部５を駆動することにより、その挟持部２４でこれをグリップする（ステップＳ１）。一方、分析の対象となる試験管１０内の尿量が設定値（例えば、９cc）を越えているか否かを判断する（ステップＳ２）。尿量の検出は、尿量検出部３を駆動してアーム１２の先端に保持した電極１４ａ,１４ｂを試験管１０内の所定位置まで挿入し、両電極１４ａ,１４ｂ間の導通の有無によって行う。尿量が少なく、電極１４ａ,１４ｂ間の導通がない場合、尿量が設定値を越えていないと判断される。この場合、前記尿分析装置によって自動では尿分析ができない。そこで、該当する試験管１０の番号（ポート番号）を記憶し（ステップＳ３）、ターンテーブル９を回転させることにより次の試験管１０をセットする（ステップＳ４）。
【００２７】
電極１４ａ,１４ｂ間の導通がある場合、尿量が設定値を越えていると判断されるので、前記尿分析装置によって自動で尿分析が可能である。そこで、ハンドリング部５を駆動し、試験紙１５を試験管１０内に挿入することにより尿をディッピングする（ステップＳ５）。ディッピングが完了すれば、再びハンドリング部５を駆動し、試験紙１５を試験管１０から引き上げて、今度は余剰尿吸引台３３にセットする（ステップＳ６）。そして、エアポンプ３８を駆動することにより、吸引孔３５を介して余剰尿をドレインボトル３７に排出する（ステップＳ７）。これにより、余剰尿が残留して次の試験紙１５に付着し、適切な分析が妨げられるといった不具合は回避される。
【００２８】
次に、余剰尿を除去した後の試験紙１５を搬送する（ステップＳ８）。試験紙１５は、搬送部３１の駆動により、一旦搬送テーブル３０上のいずれかの中継位置Ａに搬送され、少なくとも呈色反応に十分な時間（反応時間）だけ待機した後、光学装置３２に搬送される。試験紙１５が中継位置Ａに待機している間も、前記搬送部３１の駆動により、順次次の試験紙１５を他の中継位置Ａに搬送する。そして、中継位置Ａに搬送された試験紙１５のうち、反応時間を経過したものから順に光学装置３２下方の測光部位に搬送する。
【００２９】
続いて、光学装置３２で下記する尿分析処理を行った後（ステップＳ９）、その試験紙１５を破棄する（ステップＳ１０）。
【００３０】
尿分析処理は、図８のフローチャートに従って行う。すなわち、発光部４４から搬送テーブル３０上に設けた白板３０ａに向かって所定間隔で順次照射し、その反射光を受光部４５で受光する。そして、受光した光量に基づいてアンプ４８のゲイン調整及びオフセット調整を行う（ステップＳ２１）。但し、光学装置３２が白板３０ａに対向する位置になければ、装置本体１の後方側に移動させることにより、白板３０ａが検出された位置で停止させる。
【００３１】
ゲイン調整は、受光部４５で受光される複数の波長を平均化し、目標となるＡ／Ｄ値が得られるようにゲインを算出することにより行う。前記波長の平均値は、アンプ４８の出力が安定した後、すなわち反射光の入力から所定時間経過後の値により求める。オフセット調整は、発光部４４が消灯した際のアンプ４８の出力が最小となるようにオフセット量を求め、このオフセット量に基づいてゲイン調整で求めたゲインを修正することにより行う。なお、算出したゲインあるいは調整したオフセット量が予め実験により決定したゲイン幅あるいはオフセット幅に収まらない場合、調整トラブルと判断し、その旨を表示部５２に表示すると共に音により作業者に報知する。ゲイン調整不良の原因としては、発光部４４からの光量が適切でない場合や、白板３０ａが汚れている場合等が挙げられる。また、オフセット調整不良の原因としては、他の光源からの光が侵入している場合等が挙げられる。
【００３２】
ゲイン調整及びオフセット調整が済めば、次に光学装置３２を図４（ａ）に示すように装置本体１の前面側に移動させる（ステップＳ２２）。移動速度は、移動開始から徐々に上げ、試験紙１５に至る前に一定速度とする。この間、発光部４４からの照射を続行し、図４（ｂ）に示すように、受光部４５で受光される光量に対応するデジタル信号を記憶させる（ステップＳ２３）。そして、黒マーカ１９ａを検出したか否かを判断する（ステップＳ２４）。黒マーカ１９ａは、白板３０ａでの反射光の波長を基準値とし、反射光量がこの基準値の例えば１／４以下となることにより検出される。但し、この黒マーカ１９ａに代え、その位置に貫通孔を穿設し、搬送テーブル３０を黒色とすることにより、その反射光を検出するようにしても構わず、要は反射光量の違いを明確に検出できるものであればよい。これにより、第２基準反射部である黒マーカ１９ａの位置を高速でしかも正確に検出することができる。
【００３３】
黒マーカ１９ａが検出されれば、徐々に減速して４.５mm進んだ時点で停止する（ステップＳ２５）。そして、前述のようにして記憶させた各試験片１８の位置を示すデータに基づいて黒マーカ１９ａから各試験片１８までの距離を演算する（ステップＳ２６）。ここでは、光学装置３２を移動させるパルスモータ５０への発振パルス数を算出する。続いて、パルスモータ５０を駆動することにより光学装置３２を背面側に移動させ、黒マーカ１９ａを越えた時点で一旦停止する。次に、光学装置３２、黒マーカ１９ａ間の距離と、黒マーカ１９ａ、（試薬を含有しない）試験片１８ａ間の距離とから、光学装置３２、試験片１８ａ間の距離を算出し、光学装置３２を試験片１８ａに対向する位置に移動させる。そして、光学装置３２の余震（完全に停止するまでの振動をいう。）がおさまるまで待機した後、反射光量を測定する（ステップＳ２７）。これは、試験片１８ａでの反射光量を基準値とし、他の試験片１８での反射光量を補正するためである。すなわち、前記基準値と、予め実験により検出した試験片１８ａでの反射光量（実験基準値）とを比較することにより、その差分だけ他の試験片１８での各反射光量（実験値）を補正する。以下同様にして、光学装置３２を各試験片１８に対向させ、試薬を含有させた各試験片１８での反射光量（測定値）を順次前記各補正値と比較し、そのずれ量から尿分析を行う。
【００３４】
このように、光学装置３２で、白板３０ａでの反射光量に基づいて黒マーカ１９ａでの反射光量を検出するようにしているので、その反射光量の顕著な違いから、その位置を確実に検出できる。また、黒マーカ１９ａから各試験片１８までの距離も、各試験片１８での反射光量に基づいて検出するようにしているので、製造誤差により試験片１８の位置がずれたとしても、光学装置３２を適切な位置に移動させることが可能である。さらに、尿分析では、前記光学装置３２を各試験片１８で完全に停止するようにしたので、振動により光学装置３２と試験片１８との距離が変動したり、信号にノイズが重畳したりすることがなく、ＳＮ比が向上する（特に、ノイズ（Ｎ）が減少する）。したがって、高精度の尿分析が可能となる。
【００３５】
なお、前記発光及び受光により、一度も閾値（各試験片１８での反射光量の最低値よりも小さい値を閾値とする。）を越えなければ「試験紙無し」と判断する。また、一旦閾値を越えたが、その後一度も閾値を越えなければ、黒マーカ１９ａの検出に異常が発生したとして前記同様にして作業者に報知する。
【００３６】
その後、一連の尿分析処理（本実施の形態では５０ポート）が終了したか否かを判断し（ステップＳ１１）、終了していなければ前記ステップＳ１〜Ｓ１０を繰り返す。
【００３７】
一連の尿分析が終了していれば、尿が微量で自動分析できなかった試験管１０について、マニュアル測定により尿分析を行うか否かを判断する（ステップＳ１２）。この判断は、マニュアルスイッチ５１からの入力が所定時間内にあったか否か等により行う。マニュアル操作を行わない場合、尿分析処理を終了する。
【００３８】
一方、マニュアル操作を行う場合、表示部５２に自動分析ができなかった試験管１０のポート番号を表示すると共に（ステップＳ１３）、ターンテーブル９を回転し（ステップＳ１４）、試験紙セット部２９を試験紙１５のセット容易な位置まで前進させる（ステップＳ１５）。ここで、試験紙１５の各試験片１８に尿をディッピングするのに十分であると考えられる時間（約５秒間）だけ待機し、「ピッ」という確認音を発生させる。さらに、その試験紙１５を試験紙セット部２９にセットするのに十分であると考えられる時間（約７秒間）だけ待機し、「ピッ」という確認音を発生させる。そして、試験紙セット部２９を元の位置に後退させ（ステップＳ１６）、ここで一旦試験紙１５の有無を図示しないセンサにより検出する。試験紙１５が検出されれば、前記ステップＳ８〜Ｓ１０と同様にして、試験紙１５を搬送し（ステップＳ１７）、尿分析処理を行い（ステップＳ１８）、試験紙１５を廃棄し（ステップＳ１９）、ステップＳ１２でマニュアル測定しないと判断されるまで前記ステップＳ１３〜Ｓ１９を繰り返す。
【００３９】
なお、前記ステップＳ１５,Ｓ１６では、経過時間により自動的に試験紙セット部２９を前進・後退させるようにしたが、表示部５２にタッチパネルを採用し、画面に操作手順を順次表示するようにしてもよい。すなわち、「マニュアル操作するか」、「分析処理を行うか」、「分析処理を開始するか」等の文字等を順次表示するようにすればよい。これによれば、作業者は、表示部５２の表示に従って順次画面を直接プッシュ操作すればよく、操作を簡単でスムーズに行うことができる。
【００４０】
また、前記各試験紙１５での検査項目は自由に変更してもよく、その場合には検査項目の異なる試験紙１５毎に黒マーカ１９ａの幅等を変更すればよい。例えば、検体により検査項目が異なる場合、光学装置３２で黒マーカ１９ａの幅寸法を検出し、その幅寸法の違いから自動的に光学装置３２の移動位置を決定するようにすれば、尿分析処理をより高速で行うことが可能である。
【００４１】
また、前記実施の形態では、検体分析装置として尿分析装置について説明したが、例えば、血液（血清,血漿等）を分析処理する場合等の他の検体分析装置にも適用可能である。
【００４２】
また、前記実施の形態では、各試験片１８の反射光量に基づいてその中心位置を特定するようにしたが、それ程検出精度が要求されない場合には、各試験片１８の位置は一定であると仮定して、予め入力しておいた黒マーカ１９ａから各試験片１８までの距離に基づいて光学装置３２の駆動を制御するようにしてもよいし、光学装置３２は各試験片１８毎に停止しなくても、一定速度で移動させるようにしてもよい。
【００４３】
【発明の効果】
以上の説明から明らかなように、本発明に係る検体分析装置又は検体分析方法によれば、検査位置及び試験紙に、基準反射光量を得ることのできる第１及び第２基準反射部をそれぞれ設けるようにしたので、試験紙の配置位置を正確に検出することが可能である。したがって、試験紙に設けた第２基準反射部から各試験片までの距離に基づいて各試験片の所望位置に正確に光学装置を対向させることができ、検出精度を高めることが可能である。
【００４４】
また、各基準反射部及び試験片での反射光量に基づいて各試験片の位置を特定するようにしたので、製造誤差等で試験片の位置がずれていたとしても、各試験片に正確に照射し、その反射光を受光することができ、検出精度をさらに高めることが可能である。この場合、第２基準反射部は、試験紙に試験片と同様に形成することができるので、簡単に製作することができ、従来のようなマイクロスイッチ等が不要となり、コストを低減することが可能である。
【００４５】
さらに、光学装置を順次各試験片に対向する位置で停止させて検体分析を行うようにしたので、振動によるノイズ等の影響を排除でき、検出精度を高めることが可能である。
【００４６】
また、検査位置に設けた基準反射部での反射光量に基づいて受光部でのゲイン調整及びオフセット調整を行うようにしたので、常に正確な測定が可能である。また、予め設定した範囲から外れるような値が検出された場合には、エラー報知させることができるので、故障に至る前に補修を行うことができる。
【図面の簡単な説明】
【図１】  本発明に係る検体分析装置の一例である尿分析装置の平面図である。
【図２】  図１の側面図（ａ）及び余剰尿吸引台及び試験紙を示す斜視図（ｂ）である。
【図３】  図１の搬送テーブルの拡大平面図である。
【図４】  光学装置と試験紙の位置関係を示す断面図（ａ）、各試験片での反射光量を示すグラフ（ｂ）である。
【図５】  図１の制御装置への信号の入出力関係を示すブロック図である。
【図６】  図１の制御装置で行う尿分析処理を示すフローチャートである。
【図７】  図１の制御装置で行う尿分析処理を示すフローチャートである。
【図８】  図１の制御装置で行う尿分析処理を示すフローチャートである。
【符号の説明】
１５  試験紙
１８  試験片
１９ａ  黒マーカ（第２基準反射部）
３０ａ  白板（第１基準反射部）
３２  光学装置
４４  発光部
４５  受光部
【図１】
0003687015.tif 000002
【図２】
0003687015.tif 000003
【図３】
0003687015.tif 000004
【図４】
0003687015.tif 000005
【図５】
0003687015.tif 000006
【図６】
0003687015.tif 000007
【図７】
0003687015.tif 000008
【図８】
0003687015.tif 000009